(57)【要約】【課題】警報状況に対する迅速な対応を行なうことができる経営情報早期警報方法を提供する。【解決手段】本警報方法は、使用者が閲覧可能な早期警報及び経営情報と関連された環境を設定できるオプション画面をデータ表示装置へ電送する段階（Ｓ４）；データ入力装置からオプション画面を利用してオプション選択情報を受信してデータ貯蔵装置に貯蔵するようにする段階（Ｓ６，Ｓ１０）；オプション選択情報を利用してＤＢサーバーに使用者が要請した早期警報情報及び経営情報を要請した後、これを受信してデータ表示装置へ電送する段階（Ｓ１１）；ＤＢサーバーから警報状況処理情報を受信してデータ表示装置へ電送する段階（Ｓ１２）；及びＤＢサーバーから警報状況処理情報を利用して処理された統計情報を受信し、データ表示装置へ電送する段階（Ｓ１３）を含む。【選択図】　　図２
2004021980.tif 000002
【特許請求の範囲】
【請求項１】
使用者コンピューターがＤＢサーバーに情報通信網を通じて接続されている経営情報早期警報システムを利用した経営情報早期警報方法において、前記使用者コンピューターは、中央処理装置、データ入力装置、データ貯蔵装置、及びデータ表示装置を含み、
（ａ）前記中央処理装置が、使用者が閲覧可能な早期警報及び経営情報と関連された環境を設定できるオプション画面を前記データ表示装置へ電送して前記データ表示装置に表示させる段階；
（ｂ）前記中央処理装置が、前記データ入力装置から、前記オプション画面を利用して機能オプション情報、デイスプレー警報オプション情報及び字幕セッテイング情報を含むオプション選択情報を受信して前記データ貯蔵装置に貯蔵する段階；
（ｃ）　前記中央処理装置が、前記オプション選択情報を利用して前記ＤＢサーバーに前記使用者が要請した早期警報情報及び経営情報を要請した後、これを受信してデータ表示装置へ電送して前記データ表示装置に表示させる段階；
（ｄ）前記中央処理装置が、前記ＤＢサーバーから警報状況処理情報を受信して前記データ表示装置へ電送して前記データ表示装置に表示させる段階；及び
（ｅ）　前記中央処理装置が、前記ＤＢサーバーから前記警報状況処理情報を利用して処理された統計情報を受信し、前記データ表示装置へ電送して前記データ表示装置に表示させる段階；を備え、
前記（ｃ）段階は、
前記中央処理装置が、貯蔵されている機能オプション選択情報を利用して前記ＤＢサーバーへ、販売情報、購買情報、在庫情報、生産情報、会計情報、人材情報、マーケテイング情報、顧客情報、統計情報及び知識経営情報のうち、少なくともいずれか一つの情報に関する要請信号を電送し、それに応じる情報を前記ＤＢサーバーから受信する段階；
前記中央処理装置が、貯蔵されているデイスプレー警報オプション情報及び字幕セッテイング情報を利用して、前記ＤＢサーバーから受信した早期警報情報及び経営情報を、流れる字幕形式、字幕形式及び全体画面形式のうち、いずれか一つの方式で前記データ表示装置に表示させる段階；及び、
前記使用者が細部情報デイスプレーを希望するものと前記中央処理装置が判断する場合、前記中央処理装置が、選択されたアイテムまたは項目に対する細部情報をデータ表示装置へ電送して前記データ表示装置に表示させる段階；を含むことを特徴とする経営情報早期警報方法。
【請求項２】
前記中央処理装置が、前記データ入力装置から、現在前記データ表示装置にデイスプレーされている早期警報情報及び経営情報を他の使用者コンピューターへ電送するための申請信号を受信する段階；
前記中央処理装置が、前記データ表示装置へ、電送対象コンピューターの使用者ＩＤ表示部と、電送対象コンピューターがオンライン状態であるか、それともオフライン状態であるかを確認できる状態表示部と、デイスプレーされている早期警報情報及び経営情報と共に電送することを願うメモを入力できるテキストボックス部と、電送及び取り消しボタンを含むボタン部と、を含む電送対象コンピューター状態情報画面を電送して、前記データ表示装置に表示させる段階；
前記中央処理装置が、前記電送対象コンピューターの状態情報画面を利用して、前記データ入力装置から電送対象コンピューター選択信号及びメモを受信する段階；及び
前記中央処理装置が、前記電送対象コンピューター選択信号と、メモと、現在デイスプレーされている早期警報情報及び経営情報とを含む画面を、前記ＤＢサーバへ電送する段階；を更に含むことを特徴とする請求項１に記載の経営情報早期警報方法。
【請求項３】
前記中央処理装置が、前記データ入力装置から、現在前記データ表示装置にデイスプレーされている早期警報情報及び経営情報と関連した画上会議を他の使用者と行なうための申請信号を、受信する段階；
前記中央処理装置が、前記データ表示装置へ、画上会議対象コンピューターの使用者ＩＤ表示部と、画上会議の対象コンピューターがオンライン状態であるか、それともオフライン状態であるかを確認できる状態表示部と、前記使用者が画上会議対象使用者に電送することを願うメモを入力できるテキストボックス部と、電送及び取り消しボタンを含むボタン部とを含む画上会議対象コンピューター状態情報画面を電送して、前記データ表示装置に表示させる段階；
前記中央処理装置が、前記画上会議対象コンピューター状態情報画面を利用して、前記データ入力装置から画上会議対象コンピューター選択信号及びメモを受信する段階；
前記中央処理装置が、前記ＤＢサーバーへ、前記使用者が画上会議を望む他の使用者のコンピューターと前記使用者コンピューターを接続させることを要請する接続信号を電送する段階；
前記中央処理装置が前記ＤＢサーバーから前記接続信号に応じる連結信号を受信する段階；及び
前記中央処理装置が、前記データ表示装置にデイスプレーされている早期警報情報及び経営情報と、メモと、前記データ入力装置から受信した使用者の画上情報とを、前記ＤＢサーバーを通じて前記使用者が画上会議を望む他の使用者のコンピューターへ電送する段階；を更に備えることを特徴とする請求項１に記載の経営情報早期警報方法。
【請求項４】
前記（ｄ）段階は、
前記中央処理装置が、前記ＤＢサーバーへ、警報状況処理要請者、前記警報状況処理内容受信者、前記警報状況処理年月日、及び前記警報状況処理結果に対する情報を電送する段階；
前記中央処理装置が前記データ入力装置から警報状況に対する簡略処理情報要請信号を受信する段階；
前記中央処理装置が、前記ＤＢサーバーへ警報状況処理情報要請信号を電送し、前記ＤＢサーバーから貯蔵されている警報状況処理情報を受信する段階；
前記中央処理装置が、前記データ表示装置へ、警報発生分野（ＭＩＳ　Ｗａｒｎｉｎｇ　　Ｐｏｉｎｔ）目録、警報状況処理要請者（Ａｃｔｉｏｎ　　Ｒｅｑｕｅｓｔｅｒ）目録、警報状況処理内容受信者（Ａｃｔｉｏｎ　　Ｒｅｃｅｉｖｅｒ）目録、処理年月日（Ｄａｔｅ）目録及び処理結果（Ｒｅｓｕｌｔｓ）目録を含む警報状況に対する簡略処理情報画面を電送して、前記データ表示装置に前記警報状況に対する簡略処理情報画面を表示させる段階；及び
前記中央処理装置が、前記データ入力装置から、前記警報状況に対する簡略情報画面のうち、警報発生分野（ＭＩＳ　Ｗａｒｎｉｎｇ　　Ｐｏｉｎｔ）目録に含まれている特定警報発生分野に対する細部情報デイスプレー申請信号を受信する場合、前記中央処理装置が、前記データ表示装置へ、選択された前記特定警報発生分野に対する細部情報を電送して前記データ表示装置に表示させる段階；を含むことを特徴とする請求項１に記載の経営情報早期警報方法。
【請求項５】
コンピューターによって読み取り可能なプログラムが記録された記録媒体であって、中央処理装置、データ入力装置、データ貯蔵装置、及びデータ表示装置を有する使用者コンピューターがＤＢサーバーに情報通信網を通じて接続されている経営情報早期警報システムにおいて、経営情報を早期に警報するために、
（Ａ）前記中央処理装置が、使用者が閲覧可能な早期警報及び経営情報と関連された環境を設定できるオプション画面をデータ表示装置へ電送して前記データ表示装置に表示させる機能；
（Ｂ）　前記中央処理装置が、前記データ入力装置から、前記オプション画面を利用して機能オプション情報、デイスプレー警報オプション情報及び字幕セッテイング情報を含むオプション選択情報を受信して前記データ貯蔵装置に貯蔵する機能；
（Ｃ）前記中央処理装置が、前記オプション選択情報を利用して前記ＤＢサーバーに前記使用者が要請した早期警報情報及び経営情報を要請した後、これを受信してデータ表示装置へ電送して前記データ表示装置に表示させる機能；
（Ｄ）前記中央処理装置が、前記ＤＢサーバーから警報状況処理情報を受信して前記データ表示装置へ電送して、前記データ表示装置に表示させる機能；及び
（Ｅ）前記中央処理装置が、前記ＤＢサーバーから前記警報状況処理情報を利用して処理された統計情報を受信し、前記データ表示装置へ電送して前記データ　表示装置に表示させる機能；
を実現させるためのプログラムを記録し、
前記（Ｃ）機能は、
前記中央処理装置が、貯蔵されている機能オプション選択情報を利用して前記ＤＢサーバへ、販売情報、購買情報、　在庫情報、生産情報、会計情報、人材情報、マーケテイング情報、顧客情報、統計情報及び知識経営情報のうち、少なくとも、いずれか一つの情報に関する要請信号を電送し、それに応じる情報を前記ＤＢサーバーから受信する機能；
前記中央処理装置が、貯蔵されているデイスプレー警報オプション情報及び字幕セッテイング情報を利用して、前記ＤＢサーバーから受信した早期警報情報及び経営情報を流れる字幕（ｏｎｇｏｉｎｇ　ｔｉｃｋｅｒ）　形式、字幕（ｔｉｃｋｅｒ）形式及び全体画面（ｆｕｌｌ　ｓｃｒｅｅｎ）　形式のうち、いずれか一つの方式で前記データ表示装置に表示させる機能；及び
前記使用者が細部情報デイスプレーを望むことと前記中央処理装置が判断する場合、前記中央処理装置が、選択されたアイテムまたは項目に対する細部情報をデータ表示装置へ電送して前記データ表示装置に表示させる機能；を含むことを特徴とする記録媒体。
【請求項６】
前記中央処理装置が、前記データ入力装置から、現在前記データ表示装置にデイスプレーされている早期警報情報及び経営情報を他の使用者コンピューターへ電送するための申請信号を受信する機能；
前記中央処理装置が、前記データ表示装置へ、電送対象コンピューターの使用者ＩＤ表示部と、電送対象コンピューターがオンライン状態であるか、それともオフライン状態であるかを確認できる状態表示部と、デイスプレーされている早期警報情報及び経営情報と共に電送することを願うメモを入力できるテキストボックス部と電送及び取り消しボタンを含むボタン部とを含む電送対象コンピューター状態情報画面を電送して、前記データ表示装置に表示させる機能；
前記中央処理装置が、前記電送対象コンピューター状態情報画面を利用して、前記データ入力装置から電送対象コンピューター選択信号及びメモを受信する機能；及び
前記中央処理装置が、前記電送対象コンピューター選択信号と、メモと、現在デイスプレーされている早期警報情報及び経営情報とを含む画面を、前記ＤＢサーバーへ電送する機能；を更に実現させるためのプログラムを記録したューことを特徴とする請求項５に記載の記録媒体。
【請求項７】
前期中央処理装置が、前記データ入力装置から、現在前記データ表示装置にデイスプレーされている早期警報情報及び経営情報と関連の画上会議を他の使用者と行なうための申請信号を受信する機能；
前期中央処理装置が、前期データ表示装置へ、画上会議対象コンピューターの使用者ＩＤ表示部と、画上会議対象コンピューターがオンライン状態であるか、それともオフライン状態であるかを確認できる状態表示部と、前期使用者が画上会議対象使用者へ電送することを願うメモを入力できるテキストボックス部と、電送及び取り消しボタンを含むボタン部とを含む画上会議対象コンピューター状態情報画面を電送して、前記データ表示装置に表示させる機能；
前記中央処理装置が、前記画上会議対象コンピューター状態情報画面を利用して、前記データ入力装置から画上会議対象コンピューター選択信号及びメモを受信する機能；
前記中央処理装置が、前記ＤＢサーバーへ、前記使用者が画上会議を望む他の使用者のコンピューターと前記使用者コンピューターを接続させることを要請する接続信号を電送する機能；
前記中央処理装置が前記ＤＢサーバーから前記接続信号による連結信号を受信する機能；及び
前記中央処理装置が、前記データ表示装置にデイスプレーされている早期警報情報及び経営情報と、メモと、前記データ入力装置から受信した使用者の画上情報とを、前記ＤＢサーバーを通じて前記使用者が画上会議を望む他の使用者のコンピューターへ電送する機能；を更に実現させるためのプログラムを記録したことを特徴とする請求項５に記載の記録媒体。
【請求項８】
前記（Ｄ）機能は、
前記中央処理装置が、ＤＢサーバーへ、警報状況処理要請者、前記警報状況処理内容受信者、前記警報状況処理年月日、及び前記警報状況処理結果に対する情報を電送する機能；
前記中央処理装置が前記データ入力装置から警報状況に対する簡略処理情報要請信号を受信する機能；
前記中央処理装置が、前記ＤＢサーバーへ警報状況処理情報要請信号を電送し、前記ＤＢサーバーから貯蔵されている警報状況処理情報を受信する機能；
前記中央処理装置が、前記データ表示装置へ、警報発生分野（（ＭＩＳ　　Ｗａｒｎｉｎｇ　Ｐｏｉｎｔ）目録、警報状況処理要請者（Ａｃｔｉｏｎ　　Ｒｅｑｕｅｓｔｅｒ）目録、警報状況処理内容受信者（Ａｃｔｉｏｎ　　Ｒｅｃｅｉｖｅｒ）目録、処理年月日（Ｄａｔｅ）目録及び処理結果（Ｒｅｓｕｌｔｓ）目録を含む警報状況に対する簡略処理情報画面を電送して、前記データ表示装置に前記警報状況に対する簡略処理情報画面を表示させる機能；及び
前記中央処理装置が、前記データ入力装置から、前記警報状況に対する簡略処理情報画面のうち、警報発生分野（ＭＩＳ　Ｗａｒｎｉｎｇ　　Ｐｏｉｎｔ）目録に含まれている特定警報発生分野に対する細部情報デイスプレー申請信号を受信する場合、前記中央処理装置が、前記データ表示装置へ選択された前記特定警報発生分野に対する細部情報を電送して、前記データ表記装置に表示させる機能；を含むューことを特徴とする請求項５に記載の記録媒体。
【請求項９】
入力装置、表示装置、及びデータ貯蔵装置を含む使用者コンピューターがＤＢサーバーに情報通信網を通じて接続されている経営情報早期警報システムを利用した経営情報早期警報方法において、
使用者が閲覧可能な早期警報及び経営情報と関連された環境を設定できるオプション画面を、前記表示装置に表示させる段階と、
前記入力装置から、前記オプション画面を利用して機能オプション情報、デイスプレー警報オプション情報及び字幕セッテイング情報を含むオプション選択情報を入力して、該オプション選択情報を前記データ貯蔵装置に貯蔵する段階と、前記使用者コンピューターが、前記オプション選択情報を利用して前記ＤＢサーバーに前記使用者が要請した早期警報及び経営情報を要請した後、早期警報及び経営情報を受信して前記表示装置に表示させる段階と、
前記使用者コンピューターが、前記ＤＢサーバーから警報状況処理情報を受信して前記表示装置に表示させる段階と、
前記使用者コンピューターが、前記ＤＢサーバーから前記警報状況処理情報を利用して処理された統計情報を受信し、前記表示装置に表示させる段階と
を備えることを特徴とする経営情報早期警報方法。
【発明の詳細な説明】
【０００１】
【発明の属する技術分野】
本発明は、経営情報早期警報方法、及びこれを実行するためのプログラムを記録したコンピューターで読み取ることができる記録媒体に関するものであって、さらに詳しくは、使用者自身が願う早期情報と関連された情報（以下、“早期警報情報”という）及び経営情報をＤＢサーバーから直接検索しなくても所定期間にまたは所定周期毎、使用者コンピューターのデータ表示装置へ字幕または全体画面の形式で電送してやることにより、ＤＢサーバー接続に慣れていない使用者に早期警報情報及び経営情報を提供して経営活動の危険を最少化するための、経営情報早期警報方法及びこれを実行するためのプログラムを記録したコンピューターで読み取ることができる記録媒体に関するものである。
【０００２】
【従来の技術】
従来の経営情報提供方法に関しては、大韓民国公開特許第２０００−０００２４２８号（ネットワークを通じた経営情報システム提供方法及びその提供装置）の外に多数特許出願されている。
【０００３】
前記出願発明は、ネットワークを通じた経営情報システム提供方法において、少なくとも、一つの業種に対する経営情報システムを具備したサ−バーを設ける段階；前記経営情報システムに接続を要求する者が予め付与された接続権を有するサービス使用者であるか否かを認証する段階；前記認証されたサービス使用者へ所定経営情報システムに接続して前記経営情報システムを運用するようにする段階を含むことを特徴とする。
【０００４】
しかし、前記“ネットワークを通じた経営情報システム提供方法及びその提供装置”は、コンピューター環境に慣れていない使用者らには、経営情報への接近が容易でなく、これに起因して会社経営に必要な重要意思決定をしなくなるとか、または重要期日を何らの措置なしに途過させる問題点があった。
【０００５】
【発明が解決しょうとする課題】
本発明の目的は、上記問題点を解決するためのものであって、コンピューター操作が未塾な使用者らに早期警報情報及び経営情報を自動電送することにより経営情報活用度を高め、使用者をして早期警報状況に対する迅速な対応を行なうことができるようにすることにある。
【０００６】
本発明の他の目的は、使用者に警報された早期警報情報及び経営情報に対して処理内訳及び統計情報を局地的であるばかりでなく、広帯域的にも提供することにより早期警報情報及び経営情報に関する処理内訳を多数の使用者が共有できるようにすることにもある。
【０００７】
【課題を解決するための手段】
前記目的を達成するために、本発明は、使用者コンピューターがＤＢサーバーに情報通信網を通じて接続されている経営情報早期警報システムを利用した経営情報早期警報方法を提供する。前記使用者コンピューターは、中央処理装置、データ入力装置、データ貯蔵装置、及びデータ表示装置を含む。本発明の経営情報早期警報方法は、（ａ）　中央処理装置が、使用者が閲覧可能な早期警報及び経営情報と関連された環境を設定できるオプション画面をデータ表示装置へ電送して前記データ表示装置に表示させる段階；（ｂ）前記中央処理装置が、前記データ入力装置から、前記オプション画面を利用して、機能オプション情報、デイスプレー警報オプション情報及び字幕セッテイング情報を含むオプション選択情報を受信して前記データ貯蔵装置に貯蔵する段階；（ｃ）前記中央処理装置が、前記オプション選択情報を利用して、ＤＢサーバーに前記使用者が要請した早期警報情報及び経営情報を要請した後、これを受信してデータ表示装置へ電送して前記データ表示装置に表示させる段階；（ｄ）前記中央処理装置が、前記ＤＢサーバーから警報状況処理情報を受信して前記データ表示装置へ電送して、前記データ表示装置に表示させる段階；及び（ｅ）　前記中央処理装置が、前記ＤＢサーバーから前記警報状況処理情報を利用して処理された統計情報を受信し、前記データ表示装置へ電送して前記データ表示装置に表示させる段階；を備える。前記（ｃ）段階は、前記中央処理装置が、貯蔵されている機能オプション選択情報を利用して、前記ＤＢサーバーへ、販売情報、購買情報、在庫情報、生産情報、会計情報、人材情報、マーケテイング情報、顧客情報、統計情報及び知識経営情報のうち、少なくともいずれか一つの情報に関する要請信号を電送し、それに応じた情報を前記ＤＢサーバーから受信する段階；前記中央処理装置が、貯蔵されているデイスプレ−警報オプション情報及び字幕セッテイング情報を利用して、前記データ表示装置に前記ＤＢサーバーから受信した早期警報情報及び経営情報を流れる字幕形式、字幕形式及び全体画面形式のうち、いずれか一つの方式で表示させる段階；及び前記使用者が細部情報デイスプレ−を希望するものとして前記中央処理装置が判断する場合、前記中央処理装置が選択されたアイテムまたは項目に対する細部情報をデータ表示装置へ電送して前記データ表示装置に表示させる段階；を含むことを特徴とする。
【０００８】
好ましくは、本方法は、前記中央処理装置が、前記データ入力装置から、現在前記データ表示装置にデイスプレーされている早期警報情報及び経営情報を他の使用者コンピューターへ電送するための申請信号を受信する段階；前記中央処理装置が、前記データ表示装置へ、電送対象コンピューターの使用者ＩＤ表示部と、電送対象コンピューターがオンライン状態であるかそれともオフライン状態であるかを確認できる状態表示部と、デイスプレーされている早期警報情報及び経営情報と共に電送することを願うメモを入力し得るテキストボックス部と、電送および取り消しボタンを含むボタン部を含む電送対象コンピューター状態情報画面を電送して前記データ表示装置に表示させる段階；前記中央処理装置が、前記電送対象コンピューター状態情報画面を利用して、前記データ入力装置から電送対象コンピューター選択信号及びメモを受信する段階；及び前記中央処理装置が、前記電送対象コンピューター選択信号と、メモと、現在デイスプレ−されている早期警報情報及び経営情報を含む画面を前記ＤＢサーバーへ電送する段階；を更に含むことを特徴とする。
【０００９】
又、好ましくは、本方法は、前記中央処理装置が、前記データ入力装置から現在前記データ表示装置にデイスプレ−されている早期警報情報及び経営情報と関連した画上会議を他の使用者と行なうための申請信号を受信する段階；前記中央処理装置が、前記データ表示装置へ、画上会議対象コンピューターの使用者ＩＤ表示部と、画上会議対象コンピューターがオンライン状態かそれともオフライン状態かを確認できる状態表示部と、前記使用者が画上会議対象使用者に電送することを願うメモを入力できるテキストボックス部と、電送及び取り消しボタンを含むボタン部とを含む画上会議対象コンピューター状態情報画面を電送して前記データ表示装置に表示させる段階；前記中央処理装置が、前記画上会議対象コンピューター状態情報画面を利用して、前記データ入力装置から画上会議対象コンピユーター選択信号及びメモを受信する段階；前記中央処理装置が、前記ＤＢサーバーへ、前記使用者が画上会議を望む他の使用者のコンピューターと前記使用者コンピューターを接続させることを要請する接続信号を電送する段階；前記中央処理装置が前記ＤＢサーバーから前記接続信号に応ずる連結信号を受信する段階；及び前記中央処理装置が、前記データ表示装置にデイスプレ−されている早期警報情報及び経営情報と、メモと、前記データ入力装置から受信した使用者の画上情報とを、前記ＤＢサーバーを通じて前記使用者が画上会議を望む他の使用者のコンピューターへ電送する段階；を更に備えることを特徴とする。
【００１０】
又、好ましくは、本方法において、前記（ｄ）段階は、前記中央処理装置が、ＤＢサーバーへ、警報状況処理要請者、前記警報状況処理内容受信者、前記警報状況処理年月日、及び前記警報状況処理結果に対する情報を電送する段階；前記中央処理装置が前記データ入力装置から警報状況に対する簡略処理情報要請信号を受信する段階；　前記中央処理装置が、前記ＤＢサーバーへ警報状況処理情報要請信号を電送し、前記ＤＢサーバーから貯蔵されている警報状況処理情報を受信する段階；前記中央処理装置が、前記データ表示装置へ、警報発生分野目録、警報状況処理要請者目録、警報状況処理内容受信者目録、処理年月日目録及び処理結果目録を含む警報状況に対する簡略処理情報画面を電送して、前記データ表示装置の前記警報状況に対する簡略処理情報画面を表示させる段階；及び前記中央処理装置が、前記データ入力装置から、上記警報状況に対する簡略処理情報画面のうち、警報発生分野目録に含んでいる特定警報発生分野に対する細部情報デイスプレ−申請信号を受信する場合、前記中央処理装置が、前記データ表示装置へ、選択された前記特定警報発生分野に対する細部情報を電送して前記データ表示装置に表示させる段階；を含むことを特徴とする。
【００１１】
一方、本発明は、コンピューターによって読み取り可能なプログラムが記録された記録媒体を提供する。本発明の記録媒体は、中央処理装置、データ入力装置、データ貯蔵装置、及びデータ表示装置を有する使用者コンピューターがＤＢサーバーに情報通信網を通じて接続されている経営情報早期警報システムにおいて、警報情報を早期に警報するためのプログラムであって、　（Ａ）前記中央処理装置が、使用者が閲覧可能な早期警報及び経営情報と関連された環境を設定できるオプション画面をデータ表示装置へ電送して前記データ表示装置に表示させる機能；（Ｂ）前記中央処理装置が、前記データ入力装置から、前記オプション画面を利用して、機能オプシヨン情報、　デイスプレ−警報オプション情報及び字幕セッテイング情報を含むオプション選択情報を受信して前記データ貯蔵装置に貯蔵する機能；（Ｃ）　前記中央処理装置が、前記オプション選択情報を利用して、ＤＢサーバーへ前記使用者が要請した早期警報情報及び経営情報を要請した後、これを受信してデータ表示装置へ電送して前記データ表示装置に表示させる機能；（Ｄ）前記中央処理装置が、前記ＤＢサーバーから警報状況処理情報を受信し、前記データ表示装置へ電送して前記データ表示装置に表示させる機能；及び（Ｅ）前記中央処理装置が、前記ＤＢサーバーから前記警報状況処理情報を利用して処理された統計情報を受信し、前記データ表示装置へ電送して前記データ表示装置に表示させる機能；を実現させるためのプログラムを記録する。前記（Ｃ）機能は、前記中央処理装置が、貯蔵されている機能オプション選択情報を利用して、ＤＢサーバーへ販売情報、購買情報、在庫情報、生産情報、会計情報、人材情報、マーケテイング情報、顧客情報、統計情報及び知識経営情報のうち、少なくともいずれか一つの情報に関する要請信号を電送し、それに応ずる情報を前記ＤＢサーバーから受信する機能；前記中央処理装置が、貯蔵されているデイスプレ−警報オプション情報及び字幕セッテイング情報を利用して、前記データ表示装置に前記ＤＢサーバーから受信した早期警報情報及び経営情報を流れる字幕形式、字幕形式及び全体形式のうちいずれか一つの方式で表示する機能；及び前記使用者が細部情報デイスプレ−を希望するものと前記中央処理装置が判断する場合、前記中央処理装置が、選択されたアイテムまたは項目に対する細部情報をデータ表示装置へ電送して前記データ表示装置に表示させる機能；を含むことを特徴とする。
【００１２】
好ましくは、記録媒体は、前記中央処理装置が、前記データ入力装置から、現在前記データ表示装置にデイスプレ−されている早期警報情報及び経営情報を他の使用者コンピューターへ電送するための申請信号を受信する機能；前記中央処理装置が、前記データ表示装置へ、電送対象コンピューターの使用者ＩＤ表示部と、電送対象コンピューターがオンライン状態であるかそれともオフライン状態であるかを確認できる状態表示部と、デイスプレ−されている早期警報情報及び経営情報と共に電送することを願うメモを入力できるテキストボックス部と、電送及び取り消しボタンを含むボタン部とを含む電送対象コンピューター状態情報画面を電送して、前記データ表示装置に表示させる機能；前記中央処理装置が、前記電送対象コンピューター状態情報画面を利用して、前記データ入力装置から電送対象コンピューター選択信号及びメモを受信する機能；及び前記中央処理装置が、前記電送対象コンピューター選択信号と、メモと、現在デイスプレ−されている早期警報情報及び経営情報を含む画面を前記ＤＢサーバーへ電送する機能；を更に実現させるためのプログラムを記録する。
【００１３】
又、好ましくは、記録媒体は、前記中央処理装置が、前記データ入力装置から、現在前記データ表示装置にデイスプレ−されている早期警報情報及び経営情報と関連した画上会議を他の使用者と行なうための申請信号を受信する機能；前記中央処理装置が、前記データ表示装置へ、画上会議対象コンピューターの使用者ＩＤ表示部と、画上会議対象コンピューターがオンライン状態であるかそれともオフライン状態であるかを確認できる状態表示部と、前記使用者が画上会議対象使用者に電送することを願うメモを入力できるテキストボックス部と、電送及び取り消しボタンを含むボタン部とを含む画上会議対象コンピューター状態情報画面を電送して、前記デ−タ表示装置に表示させる機能；前記中央処理装置が、前記画上会議対象コンピューター状態情報画面を利用して前記デ−タ入力装置から画上会議対象コンピューター選択信号及びメモを受信する機能；前記中央処理装置が、前記ＤＢサーバーへ、前記使用者が画上会議を望む他の使用者のコンピューターと前記使用者コンピューターを接続させることを要請する接続信号を電送する機能；前記中央処理装置が、前記ＤＢサーバーから前記接続信号に応ずる連結信号を受信する機能；及び前記中央処理装置が、前記データ表示装置にデイスプレ−されている早期警報情報及び経営情報と、メモと、前記データ入力装置から受信した使用者の画上情報とを、前記ＤＢサーバーを通じて上記使用者が画上会議を望む他の使用者のコンピューターへ電送する機能；を更に実現させるためのプログラムを記録する。
【００１４】
又、好ましくは、前記（Ｄ）機能は、前記中央処理装置が、ＤＢサーバーへ、警報状況処理要請者、前記警報状況処理内容受信者、前記警報状況処理年月日、及び前記警報状況処理結果に対する情報を電送する機能；前記中央処理装置が前記データ入力装置から警報状況に対する簡略処理情報要請信号を受信する機能；前記中央処理装置が、前記ＤＢサーバーへ警報状況処理情報要請信号を電送し、前記ＤＢサーバーから既貯蔵されている警報状況処理情報を受信する機能；　前記中央処理装置が、前記データ表示装置へ、警報発生分野目録、警報状況処理要請者目録、警報状況処理内容受信者目録、処理年月日目録及び処理結果目録を含む警報状況に対する簡略処理情報画面を電送して、前記データ表示装置に前記警報状況に対する簡略処理情報画面を表示させる機能；及び前記中央処理装置が、前記データ入力装置から、前記警報状況に対する簡略処理情報画面のうち、警報発生分野目録に含まれている特定警報発生分野に対する細部情報デイスプレ−申請信号を受信する場合、前記中央処理装置が、前記データ表示装置へ選択された前記特定警報発生分野に対する細部情報を電送して、前記データ表示装置に表示させる機能を含む。
【００１５】
【発明の実施の形態】
以下、添付の図面を参照して本発明を詳しく説明する。図１は本発明が適用される経営情報早期警報システムの一例示図である。図１に図示されるように本発明が適用される経営情報早期警報システムは、情報通信網１００、一つ以上の使用者コンピューター２００及びＤＢサーバー３００を含む。
【００１６】
情報通信網１００は、ＴＣＰ／ＩＰプロトコルの有線インタ−ネット網と、ＷＡＰプロトコルの無線インターネット網と、近距離通信網（ＬＡＮ）を含む。
又、使用者コンピューター２００は、例えば、Ｗｉｎｄｏｗｓ９８（登録商標）以上のＯＳ（オペレーティング・システム）を含む通信可能なコンピューター装置であって、ウエブ内容をデイスプレーすることができるインターネットブラウザーを有している。使用者コンピューター２００は、デイスクトップコンピューター、ノートブックコンピューター等のような個人用コンピューターばかりでなく、無線インターネット通信が可能なＰＤＡ（Ｐｅｒｓｏｎａｌ　Ｄｉｇｉｔａｌ　Ａｓｓｉｓｔａｎｔ）　及びＩＭＴ２０００等である。使用者コンピューター２００は、中央処理装置２１０、主記憶装置２２０、データ貯蔵装置２３０、データ表示装置２４０、及びデータ入力装置２５０を含む。
【００１７】
中央処理装置２１０は、本発明による制御機能及び演算機能を行い、Ｐｅｎｔｉｕｍ（登録商標）級以上の仕様であるのが好ましい。又、上記主記憶装置２２０は本発明によるデータを一時的に貯蔵する機能を行い、６４Ｍｂ以上の仕様であるのが好ましい。
【００１８】
又、データ貯蔵装置２３０は、本発明によるソフトウエアが貯蔵されるプログラムＤＢ、本発明の一実施形態により使用者がデータ入力装置２５０を通じて入力したオプション選択情報を含む情報を貯蔵する入力情報ＤＢを含み、別途のデータベ−ス管理プログラムによってデータを管理する。
【００１９】
本実施形態において、データ入力装置２５０を通じて入力した情報を入力情報ＤＢで貯蔵及び管理することに限定したが、本発明がこれに限定されるものではなく、入力情報、使用者権限及び選択情報をフアイル形態で貯蔵することもできる。
【００２０】
又、データ表示装置２４０は本発明によるデータを出力する機能を行い、図面に図示されないモニタ−及びスピーカーを含む。そして、データ入力装置２５０は本発明による各種データを入力する機能を行い、図面に図示されないＣＤロム、マウス、キーボード、マイク及びデジタルカメラを含む。
【００２１】
そして、ＤＢサーバー３００は、本発明による企業の経営情報を貯蔵、管理、生成及び使用者コンピューター２００の要請時、関連情報を通信網１００を通じて使用者コンピューター２００へ電送する機能を行い、ＣＰＵ３１０及びハードデイスク３２０を含む。
【００２２】
上記ＣＰＵ３１０は大容量の業務処理、相互情報交換時、多数の数学的計算を実行し、データベースを調査することができなければならないが、別途の運営体制によって作動される。
【００２３】
ハードデイスク３２０は、会社の販売情報を貯蔵する販売ＤＢと、会社の購買情報を貯蔵する購買ＤＢと、会社が製造した物品の在高と関連された情報を貯蔵する在庫ＤＢと、会社が生産する物品に関する情報を貯蔵する生産ＤＢと、会社の税務及び会計情報を貯蔵する会計ＤＢと、会社の役人及び職員の身上情報を貯蔵する人材ＤＢと、会社のマーケテイング計画と関連された情報を貯蔵するマーケテイングＤＢと、会社の顧客に関する情報を貯蔵する顧客ＤＢとを含む。ハードデイスク３２０は、また、販売情報、購買情報、在庫情報、生産情報、会計情報、人材情報、マーケテイング情報、顧客情報、及び知識経営情報と関連された統計情報と警報状況に対する処理内訳及びそれに伴う統計情報を貯蔵する統計ＤＢと、会社の知識経営と関連された情報を貯蔵する知識経営ＤＢを含み、別途のデータベース管理ソフトウエアによってＤＢ等を生成し、管理するために使用される。
【００２４】
本実施形態において使用者コンピューター２００へ電送される早期警報情報及び経営情報は、ＤＢサーバー３００のそれぞれのＤＢに既に貯蔵されている情報に限定したが、本発明はこれに限定されるものではなく、ＤＢサーバー３００のみならず、ロ−データ（Ｒａｗ　Ｄａｔａ）形態のユニックスフアイル形式またはアルエフシー（ＲＦＣ，　　Ｒｅｍｏｒｅ　　Ｆｕｕｃｔｉｏｎ　　Ｃａｌｌ）で特定アプリケーションの機能を呼び出（ｉｎｖｏｋｅ）させて抜粋したデータ形式を含む。
【００２５】
本発明の一実施形態による経営情報早期警報方法に関する全体的な流れを図２ないし図８を参照して説明すると次のとおりである。
図２は本発明の一実施形態による経営情報早期警報方法に対する全体的な流れ図であり、図３は本発明の一実施形態によるオプシヨン画面のうち、機能オプシヨンメニユー画面の一例示図であり、図４は本発明の一実施形態によるオプシヨン画面のうちデイスプレー警報オプシヨン画面の一例示図であり、図５は本発明の一実施形態によるオプシヨン画面のうち、字幕セッテイングメニユー画面の一例示図である。
【００２６】
図６はウインドウ−タスクバーに表示された本発明の一実施形態による特定アイコンを含む画面の一例示図であり、図７は本発明の一実施形態による簡略統計情報提供画面の一例示図であり、図８は本発明の一実施形態による細部統計情報提供画面の一例示図である。
【００２７】
図２に示したとおり、中央処理装置２１０はデータ入力装置２５０のうちＣＤロムを通じて少なくとも使用者の職責、姓名を含む情報を受信し、本発明の一実施形態による経営情報早期警報のためのソフトウエアを受信してプログラムＤＢに貯蔵することにより経営情報早期警報のためのソフトウエアを設ける（段階（以下、ステップと記す）Ｓ２）。
【００２８】
本実施形態では経営情報早期警報のためのソフトウエアをデータ入力装置２５０のうち、ＣＤロムを利用して設けることにしたが、本発明がこれに限定されるものではない。又、本実施形態において、職責は最高経営者水準、中間経営者水準、管理者水準及び実務者水準に区分したが、本発明はこれに限定されるものではない。
【００２９】
中央処理装置２１０は、ステップＳ２によってデ−タ入力装置２５０を通じて入力された使用者の職責に関する情報を利用して使用者が閲覧可能な早期警報及び経営情報と関連された環境を設定できるオプション画面をデータ表示装置２４０へ電送する（ステップＳ４）。
【００３０】
オプション画面は機能オプション（ｆｕｎｃｔｉｏｎ　ｏｐｔｉｏｎｓ　）メニュー、デイスプレー警報オプシヨンメニュー（ｄｉｓｐｌａｙ　ｗａｒｎｉｎｇ　ｏｐｔｉｏｎｓ）及び字幕セッテイングメニュー（ｔｉｃｋｅｒ　ｓｅｔｔｉｎｇｓ）と関連された画面を含む。
【００３１】
機能オプション（ｆｕｎｃｔｉｏｎ　ｏｐｔｉｏｎｓ）メニューは、使用者が自身のコンピューター２００を通じてＤＢサーバー３００から受信できる早期警報情報及び経営情報を選択できるメニューであって、その画面の構成は図３に示されたとおり左側は受信可能な早期警報情報及び経営情報選択部に、右側は選択れた項目に関する情報表示部で構成されている。　本実施形態では経営情報のうち、統計情報を選択する場合の画面で設定したが、本発明がこれに限定されるものではない。
【００３２】
又、前記デイスプレー警報オプシヨンメニュー（ｄｉｓｐｌａｙ　ｗａｒｎｉｎｇ　ｏｐｔｉｏｎｓ）は、早期警報情報及び経営情報が前記使用者コンピューターのデータ表示装置２４０に表示される方式を選択できるメニューである。該メニュー画面は、図４に示されたとおり、データ表示装置２４０が全ての実時間経営情報及び早期警報情報を流れる字幕（ｏｎｇｏｉｎｇ　ｔｉｃｋｅｔ）形式でデイスプレーするか、早期警報状況が発生する場合、単に字幕形式（ｔｉｃｋｅｔ）で早期警報情報をデイスプレーするか、又は、全ての実時間経営情報及び早期警報状況を全体画面（ｆｕｌｌ　ｓｃｒｅｅｎ）　形式でデイスプレーする方式のうち、いずれか一つの方式を選択することができるラジオボタンと、音響出力をオン／オフするためのラジオボタンと、ＤＢサーバー３００からデータをアップデートして受信するための時間間隔を入力するためのテキストボックスと、早期警報状況に対する処理情報をＤＢサーバー３００が受信できない場合、処理できない早期警報状況に対する情報をさらに使用者コンピューター２００へ電送するための時間間隔を入力するためのテキストボックスで構成される。
【００３３】
本実施形態では早期警報状況が発生する場合、単に字幕形式（ｔｉｃｋｅｒ）で早期警報状況をデイスプレーする方式と、音響未出力方式と、１分の電送周期と、２４時間後早期警報状況に対する情報を再電送する方式で設定したが、本発明がこれに限定されるものではない。
【００３４】
そして、字幕セッテイングメニュー（ｔｉｃｋｅｔ　ｓｅｔｔｉｎｇ）は、早期警報情報及び経営情報が前記データ表示装置２４０のうち、モニターに字幕形式で表示される場合、該字幕の環境を設定するためのメニューであって、該画面構成は図５に示されたように画面左側は字幕の移動速度を指定するための移動速度調節部に、画面右側は字幕と関連された環境を設定するためのボックスで構成される。本実施形態では、字幕の背景色は黒色に、項目名称の色は緑色に、項目値の色は黄色に、警告文句色は白色に設定したが、本発明がこれに限定されるのではない。
【００３５】
中央処理装置２１０はデータ入力装置２５０から前記オプション画面を利用してオプション選択情報を受信する（ステップＳ６）。
オプション選択情報は、上述のとおり、使用者が自身のコンピューター２００を利用して受信するのを望む早期警報情報及び経営情報と、データ表示装置２４０が全ての実時間経営情報及び早期警報を流れる字幕（ｏｎｇｏｉｎｇ　ｔｉｃｋｅｒ）形式でデイスプレーするか、早期警報状況が発生する場合、単に字幕形式（ｔｉｃｋｅｒ）で早期警報状況をデイスプレーするか、または、全ての実時間経営情報及び早期警報状況を全体画面（ｆｕｌｌ　ｓｃｒｅｅｎ）形式でデイスプレーする方式のうち、いずれか一つの方式に対する選択情報と、音響出力オン／オフに関する選択情報と、アップデートされた情報の電送周期と、早期警報状況に対する処理情報を前記ＤＢサーバー３００が受信できない場合、処理されなかった早期警報状況に対する情報をさらに使用者コンピューター２００へ電送するための時間間隔に関する情報を含む。
【００３６】
中央処理装置２１０は、データ表示装置２４０へステップＳ６によって入力した情報を変更すべきか否かを問う画面を電送した後、これに対する応答をデータ入力装置２５０から受信して、使用者が情報変更を望むか否かを判断する（ステップＳ８）。
【００３７】
ステプＳ８の判断の結果、情報変更を望む場合、中央処理装置２１０はステップＳ４へリターンし、情報変更を望まない場合、中央処理装置２１０は前記ステップＳ６で受信したオプション選択情報を入力情報ＤＢに貯蔵する（ステップＳ１０）。
【００３８】
中央処理装置２１０が前記オプション選択情報を貯蔵した後、使用者コンピューター２００を再ブッテイングさせると、前記中央処理装置２１０は、図６に示されたように基礎画面上のウインドウ−タスクバーに本発明の一実施形態による特定アイコン１０を表示して、本発明の一実施形態によるソフトウエアを実行させることができるようにする。
【００３９】
使用者がデータ入力装置２５０を利用して特定アイコン１０をダブルクリックすると、中央処理装置２１０はＤＢサーバー３００と情報を送受信できる状態となるが、使用者はデータ表示装置２４０を通じて自身が必要な情報を実時間（ｒｅａｌ　ｔｉｍｅ）で閲覧できるようになる。
【００４０】
中央処理装置２１０は、ステップＳ６によって受信したオプション選択情報を利用して前記ＤＢサーバー３００に使用者が要請した早期警報情報及び経営情報を要請した後、　これを受信して上記データ表示装置２４０へ電送し、前記データ表示装置２４０に表示させる（ステップＳ１１）。
【００４１】
中央処理装置２１０はＤＢサーバー３００から警報状況処理情報を受信し、上記データ表示装置２４０へ電送してデータ表示装置２４０に警報状況処理情報を表示させる（ステップＳ１２）。
【００４２】
ＤＢサーバー３００は、所定期間経過後、早期警報情報及び経営情報に対する使用者及び他の使用者のチェックポイント回数、処理回数、残存チェックポイント回数及び改善率に対し統計処理して統計ＤＢに貯蔵する。中央処理装置２１０は、ＤＢサーバー３００へ前記統計処理した情報に対し受信信号を電送した後、それによる統計情報を受信し、使用者の選択に従って簡略統計情報及び細部統計情報のうち、少なくとも一つの統計情報を前記データ表示装置２４０へ電送してデータ表示装置２４０に、図７及び図８に示すような表を表示させる（ステップＳ１３）。
【００４３】
ステップＳ１１である早期警報情報及び経営情報提供ステップを図９ないし図２１を利用して詳しく説明すれば次のとおりである。
図９は本発明の一実施形態による早期警報情報及び経営情報提供ステップに対する詳細流れ図であり、図１０は本発明の一実施形態による流れる字幕形式による早期警報情報及び経営情報のデイスプレー画面の一例示図であり、図１１は本発明の一実施形態による字幕形式による早期警報情報のデイスプレー画面の一例示図である。　図１２は本発明の一実施形態による全体画面形式による早期警報情報及び経営情報のデイスプレー画面の一例示図であり、図１３は本発明の一実施形態による全体画面形式による早期警報情報及び経営情報のデイスプレー画面のまた他の一例示図であり、　図１４は本発明の一実施形態による細部情報デイスプレー画面の一例示図である。図１５は本発明の一実施形態による細部情報デイスプレー画面の又他の一例示図である。
【００４４】
図１６は本発明の一実施形態によるデイスプレーされた画面の電送のためのサブメニュー選択画面の一例示図であり、図１７は本発明の一実施形態による電送対象コンピューター状態情報画面の一例示図であり、図１８は本発明の一実施形態による電送対象コンピューターのモニター上に表示されるメッセージ到着表示部を含む画面のー例示図である。
【００４５】
図１９は本発明の一実施形態による電送対象コンピューターによりデイスプレーされる画面の一例示図であり、図２０は本発明の一実施形態による画上会議対象コンピューター状態情報画面の一例示図であり、図２１は本発明の一実施形態による画上会議画面の一例示図である。
【００４６】
図９に示したとおり、中央処理装置２１０は入力情報ＤＢに既に貯蔵されている機能オプション選択情報を利用してＤＢサーバー３００へ販売情報、購買情報、在庫情報、生産情報、会計情報、人材情報、マーケテイング情報、顧客情報、統計情報及び知識経営情報のうち、少なくともいずれか一つに関する要請信号を情報通信網（１００）を通じて電送し、それによる早期警報情報及び経営情報を上記ＤＢサーバー３００から受信する（ステップＳ１４）。
【００４７】
本実施形態において中央処理装置２１０は、入力情報ＤＢに既に貯蔵されているオプション選択情報のうち、機能オプション情報のみを利用して使用者が受信することを望む早期警報情報及び経営情報全体を受信することに設定したが、本発明がこれに限定されるものではない。入力情報ＤＢに既に貯蔵されている全てのオプション選択情報（機能オプション情報、デイスプレー警報オプション情報及び字幕セッテイング情報）をＤＢサ−バー３００が受信して全てのオプション選択情報に該当する情報のみを中央処理装置２１０へ電送することも可能である。
【００４８】
中央処理装置２１０は、入力情報ＤＢに既に貯蔵されているデイスプレー警報オプション情報及び字幕セッテイング情報を検索してＤＢサーバー３００から受信した早期警報情報及び経営情報を如何なる形式でデータ表示装置２４０に表示すべきか否かを決定する（ステップＳ１６）。
【００４９】
中央処理装置２１０は、検索された結果によってデータ表示装置にステップＳ１４ＤＢサーバー３００から受信した早期警報情報及び経営情報を流れる字幕（ｏｎｇｏｉｎｇ　ｔｉｃｋｅｒ　　）形式、字幕（ｔｉｃｋｅｒ）形式及び全体画面（ｆｕｌｌ　　ｓｃｒｅｅｎ）形式のうち、いずれか一つの方式で表示させる（ステップＳ１８）。
【００５０】
本実施形態で流れる字幕（ｏｎｇｏｉｎｇ　ｔｉｃｋｅｒ）形式のデイスプレー方式は、図１０に示されたとおり、画面の下段部に図２のステップＳ６で受信した字幕セッテイングオプション情報による字幕２０を利用して早期警報情報及び経営情報の画面の左側から右側に流れるようにデイスプレーする方式で設定したが、本発明はこれに限定されるものではない。
【００５１】
又、字幕（ｔｉｃｋｅｒ）形式のデイスプレー方式は、図１１に示されたとおり、画面の下段部にステップＳ６で受信した字幕セッテイングオプション情報による字幕３０を利用して早期警報情報をちらちら（ｆｌｉｃｋｅｒ）するようにデイスプレーし、警告音響を出力する方式を意味するが、流れる字幕（ｏｎｇｏｉｎｇ　ｔｉｃｋｅｒ）形式とはデイスプレーされる方式及び情報において差異がある。
【００５２】
即ち、字幕（ｔｉｃｋｅｒ）形式のデイスプレー方式は、デイスプレーされる情報が固定されており、デイスプレーされる情報の内容も警報状況が発生されたとき、警報状況と関連された情報に限定されるが、警報状況と関連された情報及び経営情報をデイスプレーする流れる字幕（ｏｎｇｏｉｎｇ　ｔｉｃｋｅｒ）形式とは差異がある。
【００５３】
そして、全体画面（ｆｕｌｌ　　ｓｃｒｅｅｎ）形式のデイスプレー方式は、図１２に示されたとおり、画面全体に警報状況と関連された情報及び経営情報をデイスプレーする方式を意味する。
【００５４】
図１２に示された本発明の一実施形態による全体画面形式による早期警報情報及び経営情報のデイスプレー画面は、項目（ＰＲＯＤＵＣＴ）表示部４１、早期警報と関連されたレイト（ＲＡＴＥ）表示部４２、機能ボタン部４３及びフオワデイング（Ｆｏｒｗａｒｄｉｎｇ）メニュー部４４を含む。
【００５５】
項目（ＰＲＯＤＵＣＴ）表示部４１は、使用者が項目表示部に表示された項目に関する細部情報を閲覧しようとする場合、閲覧しようとする項目をデータ入力装置２５０のうち、マウスを利用して選択するようになると中央処理装置２１０が選択信号を認識してそれによる細部情報をデイスプレーできるようにする機能を遂行する。
【００５６】
また、警報状況が発生された項目（ＰＲＯＤＵＣＴ）のレイト（ＲＡＴＥ）表示部４２は、その数値がちらちら（ｆｌｉｃｋｅｒｉｎｇ）するように設定されている。又、機能ボタン部４３は、他の項目をデイスプレーできるように画面を移動させるとか現在画面を停止させるとかし、画面を閉める機能を選択できるようにするボタンを含む。
【００５７】
そして、フオワデイング（Ｆｏｒｗａｒｄｉｎｇ）メニュー部４４は、現在デイスプレーされている早期警報情報及び経営情報を他の使用者コンピューターへ電送するためのセンドメッセージ（Ｓｅｎｄ　　Ｍｅｓｓａｇｅ）サブメニュー（ｓｕｂｍｅｎｕ）又は現在デイスプレーされている早期警報情報及び経営情報と関連して画上会議を使用者が願う場合、画上会議選択のためのビデオ／オーデイオカンフアランス（Ｖｉｄｅｏ／Ａｕｄｉｏ　Ｃｏｎｆｅｒｅｎｃｅ）サブメニューを含む。
【００５８】
本実施形態において、全体画面（ｆｕｌｌ　　ｓｃｒｅｅｎ）形式の画面は図１２に示された画面で設定したが、本発明がこれに限定されるものではない。デイスプレーされる情報の種類によっては、図１３に示された画面のようにグラフを含む画面にても設定することができる。
【００５９】
中央処理装置２１０は、データ入力装置２５０からアイテム（ＩＴＥＭ　　ＮＯ．）または項目（ＰＲＯＤＵＣＴ）表示部４１の選択信号を受信したか否かを確認することにより、使用者がデイスプレーされている早期警報情報及び経営情報に対する細部情報をデータ表示装置２４０によってデイスプレーすることを望むか否かを判断する（ステップＳ２０）。
【００６０】
ステップＳ２０の判断の結果、細部情報デイスプレーを望む場合、中央処理装置２１０は図１４及び図１５のうち、いずれか一つの方式で選択されたアイテムまたは項目に対する細部情報をデータ表示装置２４０へ電送してデイスプレーする（ステップＳ２２）。
【００６１】
図１４は、字幕形式で早期警報情報及び経営情報がデイスプレーされた画面から使用者がデータ入力装置２５０を利用してアイテム番号を選択した場合、選択されたアイテム番号に該当する細部情報をデイスプレーする画面の一例示図である。図１５は、全体画面形式で早期警報情報及び経営情報がデイスプレーされた画面から使用者がデータ入力装置２５０を利用して項目を選択した場合、選択された前記項目に該当する細部情報をデイスプレーする画面の一例示図である。
【００６２】
図１６に図示されたとおり、中央処理装置２１０は、データ入力装置２５０からフオワデイング（Ｆｏｒｗａｒｄｉｎｇ）メニューのうち、センドメッセージ（Ｓｅｎｄ　Ｍｅｓｓａｇｅ）サーブメニュー選択信号を受信したか否かを確認することにより、使用者がデイスプレーされている早期警報情報及び経営情報を他の使用者コンピューターへ電送することを望むか否かを判断する（ステップＳ２４）。
【００６３】
ステップＳ２４の判断の結果、電送を望まない場合、中央処理装置２１０は、本発明の一実施形態による早期警報情報及び経営情報受信段階に関するシステムを終了し、電送を望む場合、中央処理装置２１０は、図１７に例示された本発明の一実施形態による電送対象コンピューター状態情報画面をデータ表示装置２４０へ電送して表示させる（ステップＳ２６）。
【００６４】
図１７に示された本発明の一実施形態による電送対象コンピューター状態情報画面は、電送対象コンピューターの使用者ＩＤ表示部と、電送対象コンピューターがオンライン状態であるかそれともオフライン状態であるかを確認できる状態表示部と、デイスプレーされている早期警報情報及び経営情報とともに電送することを望むメモを入力できるテキストボックス部と、電送及び取り消しボタンを含むボタン部を含む。
【００６５】
使用者がデータ入力装置２５０を利用して図１７画面から電送対象コンピューターを選択し、メモを入力すると、中央処理装置２１０はデータ入力装置２５０から電送対象コンピューター選択及びメモを受信する（ステップＳ２８）。
【００６６】
中央処理装置２１０は、電送対象コンピューター選択信号と、メモと、現在デイスプレーされている早期警報情報及び経営情報を含む画面をＤＢサーバー３００へ電送する（ステップＳ３０）。
【００６７】
中央処理装置２１０から電送対象コンピューター選択信号と、メモと、　使用者コンピューター２００にデイスプレーされている早期警報情報及び経営情報を含む画面を受信したＤＢサーバー３００は、電送対象コンピューターへメモと、　使用者コンピューター２００にデイスプレーされている早期警報情報及び経営情報を含む画面を電送するようになる。
【００６８】
電送対象コンピューターが、ＤＢサーバー３００からメモと、使用者コンピューター２００にデイスプレーされている早期警報情報及び経営情報を含む画面を受信した後、図１８に示されたとおり、受信時刻、使用者を含む情報表示部と、電送された情報を確認するためのボタン部を含むメッセージ到着表示部５０が、電送対象コンピューターのモニター上に表示される。
【００６９】
電送対象コンピューターの使用者が、メッセージ到着表示部５０からボタンを電送対象コンピューターのデータ入力装置を利用して選択すると、電送対象コンピューターは、図１９に図示された電送対象コンピューターが受信した画面を、データ表示装置によって表示する。
【００７０】
図１９に図示された電送対象コンピューターによってデイスプレーされる画面は、使用者コンピューターのデータ表示装置２４０にデイスプレーされている早期警報情報及び経営情報表示部と使用者が作成したメモ表示部を含んでいる。
【００７１】
中央処理装置２１０は、データ入力装置２５０からフオワデイング（Ｆｏｒｗａｒｄｉｎｇ）メニューのうち、ビデオ／オーデイオコンフアレンス（Ｖｉｄｅｏ／Ａｕｄｉｏ　Ｃｏｎｆｅｒｅｎｃｅ）サブメニュー選択信号を受信したか否かを確認することにより、使用者がデイスプレーされている早期警報情報及び経営情報と関連して画上会議を他の使用者と行なうことを望むか否かを判断する（ステップＳ３２）。
【００７２】
ステップＳ３２の判断の結果、画上会議を望まない場合、中央処理装置２１０は、本発明の一実施形態による早期警報情報及び経営情報受信段階に関するシステムを終了する。画上会議を望む場合、中央処理装置２１０は、図２０に示された本発明の一実施形態による画上会議対象コンピューター状態情報画面をデータ表示装置２４０へ電送してデータ表示装置２４０に表示させる（ステップＳ３４）。
【００７３】
図２０に図示された本発明の一実施形態による画上会議対象コンピューター状態情報画面は、図１７と同様に、画上会議対象コンピューターの使用者ＩＤ表示部と、画上会議対象コンピューターがオンライン状態であるかそれともオフライン状態であるかを確認できる状態表示部と、使用者が画上会議対象使用者へ電送することを願うメモを入力できるテキストボックス部と、電送及び取り消しボタンを含むボタン部を含む。
【００７４】
使用者がデータ入力装置２５０を利用して図２０に示される画面から画上会議対象コンピューターを選択しメモを入力すると、中央処理装置２１０はデータ入力装置２５０から画上会議対象コンピューター選択信号及びメモを受信する（ステップＳ３６）。
【００７５】
中央処理装置２１０は、ＤＢサーバー３００へ使用者が画上会議を望む他の使用者のコンピューターと使用者コンピューター２００を接続させることを要請する接続信号を電送する（ステップＳ３８）。中央処理装置２１０は、ＤＢサーバー３００から接続信号による連結信号を受信する（ステップＳ４０）。
【００７６】
中央処理装置２１０は、データ表示装置２４０にデイスプレーされている早期警報情報及び経営情報と、メモと、データ入力装置２５０から受信した使用者の画上情報をＤＢサーバー３００を通じて使用者が画上会議を望む他の使用者のコンピューターへ電送する（ステップＳ４２）。
【００７７】
電送された早期警報情報及び経営情報と、メモと、使用者の画上情報は、他の使用者のコンピューターのモニターに図２１と共にデイスプレーされる。図２１に図示されたとおり、本発明の一実施形態による画上会議の画面は、左側に早期警報情報及び経営情報表示部を、右側には画上会議の当事者らの画上をデイスプレーする画上表示部を含む。本実施形態において、画上会議当事者を２名に設定したが、本発明がこれに限定されず、多数の使用者間の画上会議も可能である。
【００７８】
ステップＳ２０の判断の結果、細部情報デイスプレーを望まない場合、中央処理装置２１０はステップＳ２４の手続きを履行する。
図２のステップＳ１２である警報状況処理情報受信ステップに対して図２２ないし図２４を参照して詳しく説明するとつぎのとおりである。
【００７９】
図２２は本発明の一実施形態による経営状況処理情報受信ステップに関する詳細流れ図であり、図２３は本発明の一実施形態による経営状況に対する簡略処理情報画面の一例示図であり、図２４は本発明の一実施形態による経営状況に対する細部処理情報画面の一例示図である。
【００８０】
ＤＢサーバー３００は、使用者コンピューター２００及び他の使用者コンピューターから警報状況処理要請者、警報状況処理内容受信者、警報状況処理年月日、　警報状況処理結果に対する情報を受信して貯蔵する（ステップＳ４４）。
【００８１】
中央処理装置２１０は、データ入力装置２５０から警報状況に対する簡略処理情報要請信号を受信する（ステップＳ４６）。中央処理装置２１０はＤＢサーバー３００へ警報状況処理情報要請信号を電送し、それに伴う警報状況処理情報を受信する（ステップＳ４８）。
【００８２】
中央処理装置２１０は、データ表示装置２４０へ図２３を利用して警報状況に対する簡略処理情報を電送してデータ表示装置２４０に表示させる　（ステップＳ５０）。図２３に図示されたとおり、本発明の一実施形態による警報状況に対する簡略処理警報画面は、警報発生分野（ＭＩＳ　Ｗａｒｎｉｎｇ　　Ｐｏｉｎｔ）　　目録、　警報状況処理要請者（Ａｃｔｉｏｎ　　Ｒｅｑｕｅｓｔｅｒ）目録、　警報状況処理内容受信者（Ａｃｔｉｏｎ　　Ｒｅｃｅｉｖｅｒ）目録、　処理年月日（Ｄａｔｅ）目録及び処理結果（Ｒｅｓｕｌｔｓ）目録を含む。
【００８３】
警報発生分野（ＭＩＳ　Ｗａｒｎｉｎｇ　　Ｐｏｉｎｔ）目録は、使用者がデータ入力装置２５０のうち、マウスを利用して警報発生分野（ＭＩＳ　　Ｗａｒｎｉｎｇ　Ｐｏｉｎｔ）目録に含まれている警報発生分野をダブルクリックするとダブルクリックされた警報発生分野に対する詳細情報をデイスプレーする機能を遂行するように設定されている。
【００８４】
中央処理装置２１０は、使用者がデータ入力装置２５０のうち、マウスを利用して警報発生分野（ＭＩＳ　Ｗａｒｎｉｎｇ　　Ｐｏｉｎｔ）目録に含まれている警報発生分野をダブルクリックしたか否かを確認して、使用者がデータ表示装置２４０にデイスプレーされている警報状況に対する簡略処理情報のうち、選択された警報発生分野に対する細部情報をデイスプレーすることを望むか否かを判断する（ステップＳ５２）。
【００８５】
ステップＳ５２の判断の結果、細部情報デイスプレーを望まない場合、中央処理装置２１０は本発明の一実施形態による処理情報受信ステップに関するシステムを終了する。細部情報デイスプレーを望む場合、中央処理装置２１０は、図２４に図示された本発明の一実施形態による警報状況に対する細部処理情報画面を利用して、選択された警報発生分野に対する細部情報をデータ表示装置２４０へ電送してデ−タ表示装置２４０に表示させる（ステップＳ５４）。
【００８６】
本発明は、コンピューターで読み取ることができる記録媒体にコンピューターが読み取ることができるコードとして具現することが可能である。コンピューターが読むことができる記録媒体は、コンピューターシステムによって読み取られるデータが貯蔵される全ての種類の記録装置を含む。コンピューターが読み取ることができる記録媒体の例としては、ＲＯＭ、ＲＡＭ、ＣＤ−ＲＯＭ、磁器テープ、フラフィデイスク、光データ貯蔵装置等があり、また、インターネットを通じた電送のようにキャリアウェーブの形態で具現されることも含む。又、コンピューターが読み取ることができる記録媒体は、ネットワークで連結されたコンピューターシステムに分散され、分散方式でコンピューターが読み取ることができるコードが貯蔵され実行され得る。
【００８７】
【発明の効果】
前記のような本発明によると、ＤＢサーバー接続に慣れていない使用者と複雑な企業の機関システム接続及びメニューを通じて情報照会に慣れていない管理者に早期警報情報及び経営情報を音響効果等と共に提供することにより、早期警報状況に対する迅速な対応をできるようにし、経営情報の活用度を高めることができる効果がある。
【００８８】
又、本発明によれば、早期警報情報及び経営情報に対する処理内訳及び統計情報を、使用権限を有する多数人が共有できる効果もある。
【図面の簡単な説明】
【図１】本発明が適用される経営情報早期警報システムの一例示図である。
【図２】本発明の一実施形態による経営情報早期警報方法についての全体的な流れ図。
【図３】本発明の一実施形態によるオプション画面のうち、機能オプションメニュ−画面の一例示図。
【図４】本発明の一実施形態によるオプション画面のうち、デイスプレー警報オプシヨン画面の一例示図。
【図５】本発明の一実施形態によるオプション画面のうち、字幕セッテイングメニュ−画面の一例示図。
【図６】ウインドウ−タスクバーに表示された本発明の一実施形態による特定アイコンを含む画面の一例示図。
【図７】本発明の一実施形態による簡略統計情報提供画面の一例示図。
【図８】本発明の一実施形態による細部統計情報提供画面の一例示図。
【図９】本発明の一実施形態による早期警報情報及び経営情報提供段階についての詳細流れ図。
【図１０】本発明の一実施例による流れる字幕形式による早期警報情報及び経営情報のデイスプレー画面の一例示図。
【図１１】本発明の一実施形態による字幕形式による早期警報情報のデイスプレー画面の一例示図。
【図１２】本発明の一実施形態による全体画面形式による早期警報情報及び経営情報のデイスプレー画面の一例示図。
【図１３】本発明の一実施形態による全体画面形式による早期警報情報及び経営情報のデイスプレー画面の又他の一例示図。
【図１４】本発明の一実施形態による細部情報デイスプレー画面の一例示図。
【図１５】本発明の一実施形態による細部情報デイスプレー画面の又他の一例示図。
【図１６】本発明の一実施形態によるデイスプレーされた画面の電送のためのサブメニュー選択画面の一例示図。
【図１７】本発明の一実施形態による電送対象コンピューター状態情報画面の一例示図。
【図１８】本発明の一実施形態による電送対象コンピューターのモニター上に表示されるメッセージ到着表示部を含む画面の一例示図。
【図１９】本発明の一実施形態による電送対象コンピューターによってデイスプレーされる画面の一例示図。
【図２０】本発明の一実施形態による画上会議画電送対象コンピューター状態情報画面の一例示図。
【図２１】本発明の一実施形態による画上会議画面の一例示図。
【図２２】本発明の一実施形態による警報状況処理情報受信段階に関する詳細流れ図。
【図２３】本発明の一実施形態による警報状況に対する簡略処理情報画面の一例示図。
【図２４】本発明の一実施形態による警報状況に対する細部処理情報画面の一例示図。
【符号の説明】
１００・・・情報通信網、２００・・・使用者コンピューター、２１０・・・中央処理装置、２３０・・・データ貯蔵装置、２４０・・・データ表示装置、２５０・・・データ入力装置、３００・・・ＤＢサーバー。
【図１】
2004021980.tif 000003
【図２】
2004021980.tif 000004
【図３】
2004021980.tif 000005
【図４】
2004021980.tif 000006
【図５】
2004021980.tif 000007
【図６】
2004021980.tif 000008
【図７】
2004021980.tif 000009
【図８】
2004021980.tif 000010
【図９】
2004021980.tif 000011
【図１０】
2004021980.tif 000012
【図１１】
2004021980.tif 000013
【図１２】
2004021980.tif 000014
【図１３】
2004021980.tif 000015
【図１４】
2004021980.tif 000016
【図１５】
2004021980.tif 000017
【図１６】
2004021980.tif 000018
【図１７】
2004021980.tif 000019
【図１８】
2004021980.tif 000020
【図１９】
2004021980.tif 000021
【図２０】
2004021980.tif 000022
【図２１】
2004021980.tif 000023
【図２２】
2004021980.tif 000024
【図２３】
2004021980.tif 000025
【図２４】
2004021980.tif 000026